(57)【特許請求の範囲】
【請求項１】
複数の多孔体で水槽の底部に層状に形成された多孔体層と、
前記多孔体層の上部に配設された下部仕切体と、
複数の細粒体で前記下部仕切体の上部に層状に形成され蛍の幼虫及び貝類の生息場所となる細粒体層と、
前記多孔体層内に取水口を有し出水口から出水する通水管と、前記通水管に配設されたポンプと、を備えた水循環部と、を備え、
前記多孔体層が、無機系廃材を粉砕して得られる無機系粉体と、貝殻を粉砕して得られる貝殻粉体と、を含有する混合物を加熱して溶融発泡させ塊状化した貝殻含有無機系発泡体を含有していることを特徴とする蛍の飼育装置。
【請求項２】
前記下部仕切体の上部の前記細粒体層の側部に立設された上部仕切体と、前記下部仕切体と前記上部仕切体とで区画され上部が前記細粒体層の上端より高く形成された土粒部と、を備えていることを特徴とする請求項１に記載の蛍の飼育装置。
【請求項３】
前記土粒部が、下部に土粒支持部を備えていることを特徴とする請求項２に記載の蛍の飼育装置。
【請求項４】
前記上部仕切体に配設固定された産卵用部材を備えていることを特徴とする請求項１乃至３の内いずれか１に記載の蛍の飼育装置。
【請求項５】
前記多孔体層に配設された多孔体層内気泡発生部と、前記多孔体層内気泡発生部に接続する空気供給部と、を備えていることを特徴とする請求項１乃至４の内いずれか１に記載の蛍の飼育装置。
【請求項６】
前記出水口から出水された水が導入される浄化部と、前記空気供給部に接続され前記浄化部内に配設された浄化部内気泡発生部と、を備えていることを特徴とする請求項５に記載の蛍の飼育装置。
【請求項７】
前記出水口若しくは前記浄化部に接続され前記細粒体層、前記産卵用部材、前記土粒部のいずれか１以上に散水する散水管を備えていることを特徴とする請求項１乃至６の内いずれか１に記載の蛍の飼育装置。
【請求項８】
前記細粒体層及び／又は前記土粒部の上方に形成された蛍の飛翔空間部を備えていることを特徴とする請求項１乃至７の内いずれか１に記載の蛍の飼育装置。
【請求項９】
水温を調整する水温調整手段を備えていることを特徴とする請求項１乃至８の内いずれか１に記載の蛍の飼育装置。
【発明の詳細な説明】
【０００１】
【発明の属する技術分野】
本発明は、蛍の飼育装置に関するものである。
【０００２】
【従来の技術】
近年、水辺環境の悪化によって蛍の成長に適した環境が失われており、特に都市近郊では殆ど蛍を見ることがなくなった。このような状況に鑑み、蛍の飼育や放流が各地で行われており、これに適した飼育装置も各種提案されている。
従来の技術としては、例えば、特開２００１−１７８３０９号公報（以下、イ号公報という）に「水槽の内部に下部水を確保する多孔盤と、多孔盤の上に配設されたフィルタと、フィルタの上に配設されて上部水で浸され蛍の幼虫が棲息する砂礫層と、下部水を集水する多孔盤とフィルタとを貫通して配設された集水パイプと、集水パイプ内の水を上部水に揚水して循環させる揚水ポンプと、を備えた蛍の飼育装置」が開示されている。
【０００３】
特開２００１−１７８３１０号公報（以下、ロ号公報という）に「容器の底部に敷設された底床砂と、上端位置が水面より高い位置に土壌が充填された枠と、枠と底床砂との間に連設された傾斜板と、を備えた蛍育成及び鑑賞用容器」が開示されている。
【０００４】
実公平３−１０８５０号公報（以下、ハ号公報という）に「山砂と川砂の混合土が合繊マットを介して配設された上部容器と、上部容器の下部を水中に浸漬し吸水口及び排水口が配設された中間容器と、中間容器の下部を水中に浸漬しろ過部が形成され下部容器と、下部容器に配設されたろ過部と中間容器に配設された吸水口との間を連通するポンプ手段と、を備えた蛍飼育装置」が開示されている。
【０００５】
【発明が解決しようとする課題】
しかしながら上記従来の技術においては、以下のような課題を有していた。
（１）イ号公報に記載の技術は、多孔盤の上に不織布等のフィルタが配設され、フィルタの上に約５ｍｍ以下の大きさの砂礫層が形成されているので、砂礫やゴミ等でフィルタが目詰まりし易く、定期的なフィルタの交換を要しメンテナンス性に欠けるという課題を有していた。
（２）蛍や蛍の幼虫の餌となるカワニナ等の貝類が発生する排泄物等のアンモニアの分解や餌の残り滓や幼虫の脱皮殻等の有機物等を分解する硝化細菌等のバクテリアの生息環境が悪いため、アンモニアや有機物等が分解され難く水質が劣化し易く蛍や貝類の寿命が短いという課題を有していた。また、水質の劣化を防止するために、水の抜き出しや補給を行って水中に増加する窒素やリンを除去しなけらばならず、メンテナンス性に欠けるという課題を有していた。
（３）ロ号公報に開示の技術は、水の循環やエアレーションが十分でないため、溶存酸素量が少なく蛍の幼虫の生息に適した水質が得られないという課題を有していた。
（４）ハ号公報に開示の技術は、上部容器、中間容器、下部容器が必要で装置が複雑化し大型化するという課題を有していた。
（５）下部容器の底に合繊マットのろ過材が配設されたろ過部を有しているので、ろ過材が目詰まりし易く、定期的な交換を要しメンテナンス性に欠けるという課題を有していた。
（６）合繊マットのろ過材内の通水性が悪いので、排泄物等のアンモニアを分解する好気性バクテリアが生息し難くアンモニア等が残留し易く水質が劣化し易いという課題を有していた。
【０００６】
本発明は上記従来の課題を解決するもので、水中の溶存酸素量を高めるとともに水の浄化性に優れ、蛍の幼虫及び餌となる貝類にとって良好な生息環境を整えることができ、さらにメンテナンス性にも優れる蛍の飼育装置を提供することを目的とする。
【０００７】
【課題を解決するための手段】
上記従来の課題を解決するために本発明の蛍の飼育装置は、以下の構成を有している。
【０００８】
本発明の請求項１に記載の蛍の飼育装置は、複数の多孔体で水槽の底部に層状に形成された多孔体層と、前記多孔体層の上部に配設された下部仕切体と、複数の細粒体で前記下部仕切体の上部に層状に形成され蛍の幼虫及び貝類の生息場所となる細粒体層と、前記多孔体層内に取水口を有し出水口から出水する通水管と、前記通水管に配設されたポンプと、を備えた水循環部と、を備え、前記多孔体層が、無機系廃材を粉砕して得られる無機系粉体と、貝殻を粉砕して得られる貝殻粉体と、を含有する混合物を加熱して溶融発泡させ塊状化した貝殻含有無機系発泡体を含有している構成を有している。
この構成により、以下のような作用が得られる。
（１）表面積の大きな多孔体層を備えているので表面に硝化細菌等のバクテリアが生息する生物膜が形成され易く、多量のバクテリアがアンモニア等を分解し水質が劣化するのを防止するとともに水の浄化性に優れる。
（２）水中の有機物や藻類等が、多孔体層が有する微細孔に吸着され易く藻類をろ過して除去することができ、また吸着された有機物等はバクテリアによって分解されて水質が劣化するのを防止するとともに水の浄化性に優れる。
（３）多孔体層によってバクテリアによる大きな生物ろ床を有する浄化装置を形成することができ、多孔体層による浄化装置と蛍の幼虫が生息する細粒体層とを水槽内に一体に形成することができ、浄化効率に優れるとともに装置をコンパクト化することができる。
（４）多孔体層と、水循環部と、を備えて水槽内の水を循環しているので、多孔体層で水流及び気泡を分散させ水中の溶存酸素量を高めることができる。
（５）取水口が、蛍の幼虫が生息する細粒体層から離間された多孔体層内に配設されているので、取水口が取水することによって生じる水流を細粒体層や多孔体層で分散させて、水流が蛍の幼虫に与える負荷を軽減し、細粒体層内で蛍の幼虫を快適に生息させることができる。孵化直後の蛍の幼虫の大きさは、直径０．５ｍｍ、長さ３ｍｍ程度の非常に小さなものなので、水循環部が発生する水流によって容易に流されてしまうからである。
（６）出水口が細粒体層の上方に配設されたときは、出水口から出水し落下した水によって空気が水中に巻き込まれ、溶存酸素量を高めることができる。
（７）蛍の幼虫が生息する細粒体層が下部仕切体の上に配設されているので、多孔体層の隙間の中に細粒体層が落下するのを防止することができ、蛍の幼虫の生息場所が少なくなるのを防止するとともに、落下した細粒体によって多孔体層内の隙間が小さくなり目詰まりによって通水性が低下するのを防止することができる。
（８）細粒体層が配設されているので、細粒体の間の隙間が水の流路となり通水性に優れるとともに、蛍の幼虫や餌となるカワニナ等の貝類の生息場所にすることができる。
（９）細粒体層は通水性に優れるので水中の溶存酸素と接触し易く、有機物やアンモニア等を分解する好気性バクテリア等が生息する生物膜が形成され易く水の浄化性に優れる。
（１０）無機系廃材や貝殻という廃棄物を用いているので、廃棄物の再資源化を図ることができる。
（１１）加熱することで、貝殻が含有する炭酸カルシウムが分解して炭酸ガスを発生し溶融した無機系粉体を発泡させて気泡を形成し表面積の大きな貝殻含有無機系発泡体を得ることができ、水槽内で形成される生物膜の表面積を大きくすることができ浄水性に優れる。
（１２）塊状化されて形成された貝殻含有無機系発泡体の破壊面から、貝殻が含有するカルシウム、マグネシウムが水中に溶出するので、水槽内の水に溶けたカルシウムがカワニナ等の貝類の稚貝の貝殻の形成を促進するとともに、マグネシウムが貝類や蛍の幼虫の成育を促進することができる。
【０００９】
ここで、水槽としては、ガラス製やポリアクリレート等の合成樹脂等で形成された移動可能な移動式のものや、セラミック製等で庭等の土中に埋め込まれる固定式のもの等が用いられる。
【００１０】
多孔体層としては、ガラス，煉瓦等を粉砕した無機系粉体を炭化珪素等の発泡剤と混合して加熱し溶融発泡して形成した発泡ガラス等の無機系発泡体、塊状に形成された木炭等の塊状炭、牡蠣殻等の貝殻、軽石、ラシヒリング状に形成された合成樹脂製やセラミック製の多孔体やそれらの混合物で単層や複数層の層状に形成されたもの等が用いられる。
なかでも、無機系発泡体は、表面積が大きく微細孔も有しているので、アンモニア，有機物，藻類等を吸着して若しくはろ過して除去することができるとともにバクテリアが生息する生物膜を形成し、吸着されたアンモニアや有機物等は硝化細菌等のバクテリアによって分解することができ水の浄化性に優れるため好適に用いられる。特に、ガラスを用いて形成した発泡ガラスからなる無機系発泡体は、機械的強度が高く破損し難いため耐久性に優れ、さらに軽量なので装置を軽量化することができ装置を容易に移動することができるため好適に用いられる。多孔体の平均粒径としては、１０〜５０ｍｍに形成されたものが用いられる。多孔体の平均粒径が１０ｍｍより小さくなるにつれ、多孔体間の隙間が小さくなり通水性が低下し水が滞留し易く劣化し易くなる傾向がみられ、平均粒径が５０ｍｍより大きくなるにつれ、多孔体間の隙間が大きくなり水流や気泡の分散性が低下する傾向がみられるため、いずれも好ましくない。
【００１１】
下部仕切体としては、細粒体の粒径よりも小さな開口径を有する金網、ガーゼ、不織布、複数の開口部が穿設された板状体等が用いられる。細粒体が下部仕切体の開口部を通過して、多孔体層内に落下するのを防止するためである。
下部仕切体は、多孔体層の上に置いてもいいし、水槽内に固定して設置してもよい。
【００１２】
細粒体層としては、ガラス粒、ゼオライト、小石等の細粒体やこれらの混合物を単層や複数層に堆積して形成したものが用いられる。
なかでも、ガラス粒やゼオライトが好適に用いられる。ガラス粒は、軽量で蛍の幼虫が潜りこむのに適しているとともに適度な比重を有し水流等で揺動せず蛍の幼虫の生息場所を安定に保ち、また粒径や形状等を容易に調整することができ容易に丸みを帯びた形状にすることができ、蛍の幼虫に傷がつくのを防止することができるからである。また、廃棄ガラスを粉砕して形成することができリサイクル性に優れるからである。ゼオライトは、アンモニウムイオンを吸収し、吸収されたアンモニアは細粒体層に生息する硝化細菌等のバクテリアにより硝酸イオンに分解されて水の浄化性に優れるためである。
【００１３】
細粒体としては、平均粒径が１〜６ｍｍ好ましくは２〜４ｍｍに形成されたものが用いられる。平均粒径が２ｍｍより小さくなるにつれ細粒体間の隙間が小さくなり通水性が低下する傾向がみられ、粒径が４ｍｍより大きくなるにつれ細粒体の重量が増し蛍の幼虫が潜り難くなるとともに、細粒体間の隙間が大きくなり蛍の幼虫が水流によって流され易くなる傾向がみられるため、好ましくない。特に、平均粒径が１ｍｍより小さくなるか、６ｍｍより大きくなると、これらの傾向が著しいためいずれも好ましくない。孵化直後の蛍の幼虫の大きさは、直径０．５ｍｍ、長さ３ｍｍ程度の非常に小さなものだからである。
【００１４】
蛍としては、ゲンジボタル，ヘイケボタル等の幼虫期を水中で過ごすものが用いられる。
無機系廃材としては、ガラス質廃材、燃焼灰、煉瓦質廃材、家畜や魚の骨等が用いられ、これらの１種若しくは複数種を混合して用いることができる。
ガラス質廃材としては、薬品用びん，化粧品用びん，食料調味料用びん，飲料用びん等のガラスびん、板ガラス、窓ガラス、テレビやディスプレイのガラスパネル等の廃棄物、ガラス製品工場から発生するスクラップ等が用いられる。
燃焼灰としては、石炭発電やゴミ発電，若しくは都市ゴミ焼却炉等の固体燃料を主として使用する燃焼装置の石炭灰等が用いられる。
煉瓦質廃材としては、赤煉瓦，耐火煉瓦，軽量煉瓦，舗道煉瓦，釉薬煉瓦，鉱滓煉瓦，珪灰煉瓦，セメント煉瓦等の廃棄物、煉瓦製品工場から発生するスクラップ等が用いられる。
家畜や魚の骨としては、牛，豚，馬，鶏等の家畜や魚を加工した際に得られる骨が用いられる。
これらの無機系廃材の内、特にガラス質廃材が好ましく用いられる。ガラス質廃材は、１０００℃以下の低温で軟化するものが多いので加熱炉等の設備負荷が小さく、また溶融体が粘性を有するので気泡を形成し易いとともに機械的強度が高く破損し難いため、水槽内で割れたり欠けたりし難く耐久性に優れ好適に用いられる。このため、他の無機系廃材に所定の割合で混合して、その融点を下げるとともに溶融体の粘性を高め、さらに機械的強度を高めることができる。
貝殻としては、牡蠣，帆立貝，赤貝，ハマグリ，アサリ，アワビ，サザエ，シジミ等の二枚貝や巻貝の殻が用いられる。
無機系粉体に対する貝殻粉体の含有量としては、無機系粉体１００重量部に対し、貝殻粉体０．１〜３０重量部好ましくは０．１〜１０重量部が好適に用いられる。無機系粉体１００重量部に対し、貝殻粉体が０．１重量部より少なくなるにつれ貝殻粉末が分解して発生する炭酸ガス量が少なく発泡し難くなる傾向がみられ、１０重量部より多くなるにつれ発生する炭酸ガス量が多く気泡量が増すとともに粗大化するので気泡壁が壊れ易く機械的強度が低下する傾向がみられ、特に３０重量部より多くなるとこの傾向が著しいので好ましくない。
無機系粉体と貝殻粉体の混合物に、Ｎａ２ＣＯ３，ＭｇＣＯ３，Ｃａ（ＯＨ）２等のアルカリ金属若しくはアルカリ土類金属の炭酸塩又は水酸塩、炭化珪素，炭化チタン等の金属炭化物、窒化珪素，窒化ホウ素等の金属窒化物等の発泡助長剤を必要に応じて混合することもできる。これにより、貝殻粉体が発生する炭酸ガスによる発泡に加え、発泡助長剤が分解して発生する炭酸ガスや窒素ガス等によって発泡が助長されて連続気泡を形成し、より表面積の大きな貝殻含有無機系発泡体を製造することができるとともに、系内に分散された金属化合物が、貝殻含有無機系発泡体の機械的強度を増強し機械的強度に優れる。
加熱されて溶融発泡した貝殻含有無機系発泡体は、加熱炉内で除冷若しくは空気中で自然冷却されたものを破砕し若しくは切断し又は分割して塊状化することができるし、空気や水等で急冷して塊状化することもできる。また、破壊面からカルシウム、マグネシウムの溶出効果を高めることができる。
貝殻含有無機系発泡体は塊状化して、縦、横、厚み方向の各々の平均長さを１０〜５０ｍｍに形成することができる。多孔体層内に通水性や水流や気泡の分散性を保つための適度な隙間を形成するためと機械的強度を保って割れたり欠けたりし難くするためである。
多孔体層の全てを貝殻含有無機系発泡体にすることもできるし、他の多孔体と混合して一部を貝殻含有無機系発泡体にすることもできる。
【００１５】
請求項２に記載の発明は、請求項１に記載の蛍の飼育装置であって、前記下部仕切体の上部の前記細粒体層の側部に立設された上部仕切体と、前記下部仕切体と前記上部仕切体とで区画され上部が前記細粒体層の上端より高く形成された土粒部と、を備えた構成を有している。
この構成により、請求項１で得られる作用に加え、以下のような作用が得られる。
（１）土粒部を備えているので、幼虫が潜って蛹化し水槽内で成虫に羽化させることができる。
（２）土粒部が上部仕切体で区画されているので、土粒部と細粒体層が混ざり合うのを防止するとともに土粒部が崩落するのを防止することができる。
（３）土粒部が水槽内に形成されているので、土粒部の下部や側面から吸収する水や出水口から出水される水等によって土粒部を常に湿潤状態にしておくことができ、幼虫が容易に潜って蛹化し易い状態に保つことができる。
【００１６】
ここで、上部仕切体としては、土粒部を構成する土粒及び細粒体の粒径よりも小さな開口径を有する金網、ガーゼ、不織布、複数の開口部が穿設された板状体等が用いられる。これにより、土粒部と細粒体層が混ざり合うのを防止することができるとともに、土粒部に水を浸透させて湿潤状態に保つことができる。
【００１７】
土粒部を構成する土粒としては、赤玉土、鹿沼土、軽石、パーライト、バーミキュライト等の用土や、粒状ガラス，煉瓦等の無機系骨材を溶融するとともに炭化珪素等の発泡剤で発泡させて形成された無機系発泡体等やこれらの混合物が好適に用いられる。保水性と通気性に優れるからである。特に、無機系発泡体を混合すると、表面積が大きいため保水性と通気性が向上するので好適に用いられる。
土粒としては、平均粒径１〜６ｍｍ好ましくは２〜５ｍｍのものが好適に用いられる。平均粒径が２ｍｍより小さくなるにつれ通気性が低下するとともに上部仕切板や下部仕切板を通過して水中に分散し易く水が汚濁する傾向がみられ、平均粒径が５ｍｍより大きくなるにつれ土粒間の隙間が大きくなり蛍の幼虫が潜り込むのを嫌がる傾向がみられるため好ましくない。特に、平均粒径が１ｍｍより小さくなるか、６ｍｍより大きくなると、これらの傾向が著しいためいずれも好ましくない。
【００１８】
請求項３に記載の発明は、請求項２に記載の蛍の飼育装置であって、前記土粒部が、下部に土粒支持部を備えた構成を有している。
この構成により、請求項２で得られる作用に加え、以下のような作用が得られる。
（１）常時水没している土粒部の下部に土粒支持部を有しているので、土粒部が水に溶けたり磨耗したりして泥状になるのを防止して、水が汚濁するのを防止することができる。
【００１９】
ここで、土粒支持部としては、土粒支持部の上端が水槽の水面よりも高くなるような厚みに細粒体や多孔体が堆積された細粒体層や多孔体層が用いられる。また、土粒部が着水しないような高さに形成された脚部を有する板状体等も用いることができる。土粒部が水没するのを防止して、土粒部が磨耗して泥状になるのを防止するためである。なお、細粒体層や多孔体層を土粒支持部として用いる場合には、土粒部との間に金網，ガーゼ，複数の開口部が穿設された板状体等の多孔状に形成された土粒仕切体を配設するのが好ましい。土粒部が細粒体層等内に混ざり合わないようにするためである。また、土粒支持部として脚部を有する板状体を用いる場合には、板状体を多孔状に形成するのが好ましい。通水性を確保するためである。
なお、細粒体層、多孔体層としては、請求項１で説明したものと同様のものなので、説明を省略する。
【００２０】
本発明の請求項４に記載の発明は、請求項１乃至３の内いずれか１に記載の蛍の飼育装置であって、前記上部仕切体に配設固定された産卵用部材を備えた構成を有している。
この構成により、請求項１乃至３の内いずれか１で得られる作用に加え、以下のような作用が得られる。
（１）産卵用部材が上部仕切体に配設固定されているので、蛍が産卵できるとともに孵化した幼虫が直ちに細粒体層で生息することができ産卵、孵化、幼虫の生息環境に優れる。
【００２１】
ここで、産卵用部材としては、苔、ウレタン樹脂発泡体等の発泡体等が用いられる。苔等の産卵用部材は、表面に凹凸を有する無機系発泡体等の産卵用部材固定部を上部仕切体の壁面に並べて配設固定し、その隙間に配設するのが好ましい。幼虫が無機系発泡体等の表面の凹凸につかまって、土粒部まで容易に登り易くなるからである。
【００２２】
本発明の請求項５に記載の発明は、請求項１乃至４の内いずれか１に記載の蛍の飼育装置であって、前記多孔体層に配設された多孔体層内気泡発生部と、前記多孔体層内気泡発生部に接続する空気供給部と、を備えた構成を有している。
この構成により、請求項１乃至４の内いずれか１で得られる作用に加え、以下のような作用が得られる。
（１）多孔体層内気泡発生部と、多孔体層内気泡発生部に接続する空気供給部と、を備えているので、水中の酸素溶存量を高めるとともに餌の残り滓等の有機物や排泄物等のアンモニアを分解する好気性バクテリア等の生息を助長することができ、水を浄化することができる。
（２）多孔体層内気泡発生部が水槽の底部の多孔質層内に配設されているので、気泡の滞在時間が長く溶存酸素量を高めることができる。
【００２３】
ここで、多孔体層内気泡発生部に加え、細粒体層内若しくは細粒体層表面に配設された細粒体層気泡発生部を空気供給部に接続することもできる。これにより、細粒体層内の好気性バクテリア等の生息を助長し有機物やアンモニア等を分解させ水の浄化性能を高めることができる。また、幼虫が生息する細粒体層に直接気泡を導入することで、幼虫が生息する水域の溶存酸素濃度を高めることができる。
【００２４】
本発明の請求項６に記載の発明は、請求項５に記載の蛍の飼育装置であって、前記出水口から出水された水が導入される浄化部と、前記空気供給部に接続され前記浄化部内に配設された浄化部内気泡発生部と、を備えた構成を有している。この構成により、請求項５で得られる作用に加え、以下のような作用が得られる。
（１）浄化部と浄化部内気泡発生部とを有しているので、水中の酸素溶存量を高めるとともに餌の残り滓等の有機物や排泄物等のアンモニアを分解する好気性バクテリアの生息を助長することができ、水を浄化することができる。
（２）出水口が浄化部の上方に配設されたときは、出水口から出水し落下した水によって空気が水中に巻き込まれ、溶存酸素量を高めることができる。
【００２５】
ここで、浄化部としては、有底容器の底部に配設された浄化部用多孔体層を備えたものが好適に用いられ、浄化部内気泡発生部としては、浄化部用多孔体層内に配設されたものが好適に用いられる。浄化部内気泡発生部で発生した気泡を効率よく分散させるためである。
浄化部が土粒部の上部に配設固定されていると、浄化部から溢れた水が土粒部を濡らし湿潤化するので好ましい。
また、浄化部用多孔体層内で開口する給水孔部を備えた給水管を配設し給水管に出水したり、通水管を浄化部の底部に接続して、出水口から出水された水が浄化部用多孔体層内に供給されるようにすると好ましい。浄化部に供給された水が確実に浄化部用多孔体層内を通過し浄水性が向上するからである。なお、給水管は出水口に接続されていても離間していてもよい。
【００２６】
本発明の請求項７に記載の発明は、請求項１乃至６の内いずれか１に記載の蛍の飼育装置であって、前記出水口若しくは前記浄化部に接続され前記細粒体層、前記産卵用部材、前記土粒部のいずれか１以上に散水する散水管を備えた構成を有している。
この構成により、請求項１乃至６の内いずれか１で得られる作用に加え、以下のような作用が得られる。
（１）細粒体層、産卵用部材、土粒部のいずれか１以上に散水する散水管を備えているので、産卵用部材や土粒部を湿潤化するとともに、散水によって空気が水中に巻き込まれ溶存酸素量を高めることができる。
【００２７】
本発明の請求項８に記載の発明は、請求項１乃至７の内いずれか１に記載の蛍の飼育装置であって、前記細粒体層及び／又は前記土粒部の上方に形成された蛍の飛翔空間部を備えた構成を有している。
この構成により、請求項１乃至７の内いずれか１で得られる作用に加え、以下のような作用が得られる。
（１）蛍の飛翔空間部を有しているので装置内で蛍が飛翔することができ、幼虫のみならず成虫も飼育することができる。
【００２８】
ここで、飛翔空間部としては、水槽の上端開口部に接続する若しくは延設する又は包囲するガラス製や合成樹脂製等で形成された槽や網状体等が用いられる。また、水槽を暗室等の部屋等に設置すれば部屋等を飛翔空間部にすることもできる。なお、飛翔空間部は年間を通して形成する必要はなく、蛍の成虫が飛翔する夏季の間だけ形成することができればよい。
なお、飛翔空間部の一部又は全部を覆設し太陽光や蛍光灯の光等の外部光線を遮る水辺草等の草木や寒冷紗、部屋内に配設されたカーテン等の日陰形成部が形成されていると、日陰を形成して水温が上昇するのを抑制することができるとともに成虫がつかまって休むことができ好ましい。
【００２９】
本発明の請求項９に記載の発明は、請求項１乃至８の内いずれか１に記載の蛍の飼育装置であって、水温を調整する水温調整手段を備えた構成を有している。この構成により、請求項１乃至８の内いずれか１で得られる作用に加え、以下のような作用が得られる。
（１）夏季等においても蛍の幼虫の生育に適した水温に保つことができ、蛍を水槽が配置される環境に関わらず年間を通じて飼育することができる。
【００３０】
ここで、水温調整手段としては、（ａ）空気供給部若しくは空気供給部と多孔質層内気泡発生部等とを接続する酸素供給用配管を冷却器で冷却することにより、気泡発生部から発生する気体を冷却し気泡に接触した伴い水を冷却し所定温度に調整するもの、（ｂ）水槽全体を空調機等で室温が調整された部屋内に配置するもの、（ｃ）冷却器で冷却された水を所定量混合して水槽内の水を所定温度に調整するもの等が用いられる。
ここで、水槽内の水温としては、０〜３０℃好ましくは５〜２５℃に調整される。水温が５℃より低くなるにつれ蛍や幼虫の餌となる貝類の活動量が低下する傾向がみられ、水温が２５℃より高くなるにつれ水中の溶存酸素量が低下するとともに通常７月頃に孵化したばかりの幼虫の死亡率が高くなる傾向がみられるため好ましくない。特に、水温が０℃より低くなるか、３０℃より高くなるとこれらの傾向が著しいため、いずれも好ましくない。
【００３７】
【発明の実施の形態】
以下、本発明の一実施の形態を、図面を参照しながら説明する。
（実施の形態１）
図１は本発明の実施の形態１における蛍の飼育装置の正面図であり、図２は図１のＡ−Ａ線における要部断面図であり、図３は図１のＢ−Ｂ線における要部断面図である。
図中、１は本発明の実施の形態１における蛍の飼育装置、２は透明のガラス製や合成樹脂製等で略直方体に形成された水槽、２ａは水槽２の上端開口部に覆設され通気性を有する網状体等で形成された蓋部、３は平均粒径１０〜５０ｍｍのガラス，煉瓦等を粉砕した無機系粉体を貝殻粉体や炭化珪素等と混合して加熱し溶融発泡して形成した発泡ガラスや貝殻含有無機系発泡体等の無機系発泡体、ラシヒリング状の螺旋状に合成樹脂製等で形成された螺旋形ろ過材（株式会社パナテック社製）、軽石等の多孔体が複数配設された多孔体層、４は多孔体層３の上部に配設された金網等の下部仕切体、５は下部仕切体４の上部に配設され平均粒径１〜６ｍｍのガラス粒、ゼオライト、小石等の細粒体やこれらの混合物からなる細粒体層、６は下部仕切体４の上部の細粒体層５の側部に立設された金網等の上部仕切体、７は下部仕切体４と上部仕切体６とで区画された部分に充填された平均粒径１〜６ｍｍの丸みを帯びたガラス粒、ゼオライト、小石等の細粒体やこれらの混合物等からなり細粒体層５より厚く形成された土粒支持部、７ａは土粒支持部７の上部に配設された寒冷紗、ガーゼ等の多孔状に形成された土粒仕切体、８は上部仕切体６で区画されて土粒仕切体７ａの上部に堆積され平均粒径１〜６ｍｍの赤玉土、鹿沼土等で形成された土粒部である。下部仕切体４、上部仕切体６、土粒仕切体７ａは、細粒体層５や土粒支持部７を構成する細粒体や土粒部８を構成する土粒の粒径よりも小さな開口径を有するもので形成されている。
なお、実施の形態１においては、上部仕切体６は細粒体層５から土粒部８の方へ向かって傾斜するように下部支持体４に立設されている。また、下部仕切体４は、細粒体層５側よりも土粒支持部７側の方が高くなるように傾斜して配設されている。
【００３８】
９は上部仕切体６の壁面に沿って並べられワイヤ等で配設固定されガラス，煉瓦等が粉砕された無機系粉体と炭化珪素等を混合して加熱して溶融発泡させて形成した表面に凹凸を有する発泡ガラス等の無機系発泡体等の産卵用部材固定部、１０は産卵用部材固定部９の間に挟持等により固定された苔、ウレタン樹脂発泡体等の発泡体等の産卵用部材、１１は土粒部８に植生された水辺草等の日陰形成部、１２は多孔体層３，下部仕切体４，土粒支持部７，土粒部８を貫通して水槽２の壁面近傍の底部に立設された水循環部支持管、１２ａは水循環部支持管１２の全周に複数形成された細粒体や土粒等の粒径より小径の通水孔部、１３は水循環支持管１２内に立設された通水管、１４は通水管１３の下部側の多孔体層３内に形成され通水孔部１２ａを通過した水を取水する取水口、１５は水循環部支持管１２の上端部に配設され通水管１３に接続されて取水口１４から取水された水を揚水するポンプが配設されたポンプ室、１６はポンプ室１５に配設されたポンプで揚水された水を出水する出水口である。水循環部支持管１２，通水管１３，ポンプ室１５に配設されたポンプが、実施の形態１の水循環部を構成している。
【００３９】
１７は土粒部８に底部が埋設され出水口１６から出水された水を受ける有底箱状容器からなる浄化部用容器、１８は浄化部用容器１７の底部に平均粒径１０〜５０ｍｍの発泡ガラスや貝殻含有無機系発泡体等の無機系発泡体や軽石、螺旋形ろ過材（株式会社パナテック社製）等の多孔体が複数配設された浄化部用多孔体層、１９は浄化部用多孔体層１８の上に配設された金網等の浄化部用仕切体、２０は浄化部用仕切体１９の上に配設された平均粒径１〜６ｍｍのガラス粒、ゼオライト、小石等の細粒体やこれらの混合物からなる浄化部用細粒体層である。浄化部用容器１７、浄化部用多孔体層１８、浄化部用仕切体１９、浄化部用細粒体層２０が、実施の形態１の浄化部を構成している。２１は浄化部用容器１７に接続された水循環用配管、２２は一端が水循環用配管２１に接続されて他端が閉鎖され周壁部に散水用の小孔が複数形成された管状の散水管である。散水管２２は、産卵用部材１０及び細粒体層５に散水することができる位置に配置されている。
２３はエアポンプ等の空気供給部、２３ａ，２３ｂ，２３ｃは空気供給部２３に接続され空気供給部２３から供給された空気を水槽２内に輸送する空気輸送用配管、２４は空気輸送用配管２３ａに接続され水槽２の底部の多孔体層３内の細粒体層５の下方に配設されたエアストーン等の多孔体層内気泡発生部、２５は空気輸送用配管２３ｂに接続され細粒体層５の表面近傍に埋設されたエアストーン等の細粒体層内気泡発生部、２６は浄化部用容器１７の底部の浄化部用多孔体層１８内に配設されたエアストーン等の浄化部内気泡発生部、２７は土粒部８及び細粒体層５の上方に形成され水槽２と蓋部２ａで包囲されて蛍が飛翔することができる蛍の飛翔空間部である。
【００４０】
以上のように構成された実施の形態１の蛍の飼育装置について、以下その使用方法を説明する。
まず、水道水を一昼夜以上放置等して塩素を除去した水を、細粒体層５が完全に水没して細粒体層５に所定の水深が得られるまで、ポンプ室１５に配設されたポンプに接続された通水管１３等を外した水循環部支持管１２の上端部から水槽２内に注ぐ。次いで、ポンプ室１５を水循環部支持管１２の上端部に配設した後にポンプ室１５に配設されたポンプを駆動して、取水口１４から取水した水を揚水して出水口１６から出水する。出水口１６から出水された水は浄化部用容器１７に入り、浄化部用容器１７に貯留されるとともに浄化部用容器１７に接続された水循環用配管２１を通って散水管２２から散水され、産卵用部材１０上と水槽２に貯留された水面上に散水される。これにより、産卵用部材１０を湿潤化するとともに水面上に散水されたときに空気を巻き込み水の溶存酸素量が増加する。さらに、散水管２２から散水される水量よりも多くの水量が出水口１６から浄化部用容器１７内に供給されると、浄化部用容器１７から土粒部８に水が溢れる。これにより土粒部８も湿潤化される。また、土粒部８は出水口１６から出水された水が浄化部用容器１７内に落ちたときに発生する水の飛沫によっても湿潤化される。水槽２内に散水された水は、水循環部支持管１２の通水孔部１２ａ及び水循環部支持管１２の下端部から取水口１４から取水されて水槽２内を循環する。ポンプ室１５に配設されたポンプによって水槽２内の水を循環したら、次に、空気供給部２３を駆動して、多孔体層内気泡発生部２４、細粒体層内気泡発生部２５、浄化部内気泡発生部２６から気泡を発生させる。この状態で２〜５日程度放置しておくと、多孔体層３内、細粒体層５内、浄化部用多孔体層１８内、浄化部用細粒体層２０内の多孔体表面や細粒体表面に生物膜が形成され、好気性バクテリアが生息し始める。次いで、細粒体層５に蛍の幼虫及びカワニナ等の貝類を放ち、細粒体層５に貝類の餌（本実験例ではリンゴの皮）を設置すると、幼虫は貝類を餌にして主に細粒体層５の内部に潜って生息する。一方、貝類も与えられた餌によって成長し繁殖していく。蛍の幼虫の脱皮殻、幼虫や貝類の排泄物、幼虫や貝類の餌の残滓等は、多孔体層３内、細粒体層５内、浄化部用多孔体層１８内、浄化部用細粒体層２０内に生息する硝化細菌等のバクテリアによって分解されて、水が浄化される。水は自然な蒸発によって失われるので、失われた分だけを補給する。
脱皮を繰り返し終令幼虫に成長した幼虫は、凹凸を有する産卵用部材固定部９につかまって土粒部８に上陸し、土粒部８内に潜って蛹化する。蛹化した幼虫は、やがて羽化して成虫になり土粒部８から這い出す。這い出した成虫は飛翔空間部２７を飛翔し交尾し産卵用部材１０に産卵し、卵から羽化した幼虫は細粒体層５内で生息する。これを繰り返して蛍を繁殖させる。
【００４１】
以上のように、実施の形態１の蛍の飼育装置は構成されているので、以下のような作用が得られる。
（１）表面積の大きな多孔体層を備えているので表面に好気性バクテリアが生息する生物膜が形成され易く、多量の好気性バクテリアがアンモニア等を分解し水質が劣化するのを防止するとともに水の浄化性に優れる。
（２）水中の有機物や藻類等が、多孔体層が有する微細孔に吸着され若しくはろ過されて除去され易く、吸着された有機物等は好気性バクテリアによって分解されて水質が劣化するのを防止するとともに水の浄化性に優れる。
（３）多孔体層と、多孔体層内に配設された取水口と、細粒体層の上方に配設され取水口から揚水された水を出水する出水口と、を備えているので、多孔体層で水流及び気泡を分散させ水中の溶存酸素量を高めることができる。
（４）取水口が、蛍の幼虫が生息する細粒体層から離間された多孔体層内に配設されているので、取水口が取水することによって生じる水流を細粒体層や多孔体層で分散させて、水流が蛍の幼虫に与える負荷を軽減し、細粒体層内で蛍の幼虫を快適に生息させることができる。
（５）出水口が細粒体層の上方に配設されているので、出水口から出水し落下した水によって空気が水中に巻き込まれ、溶存酸素量を高めることができる。
（６）蛍の幼虫が生息する細粒体層が下部仕切体の上に配設されているので、多孔体層の隙間の中に細粒体層が落下するのを防止することができ、蛍の幼虫の生息場所が少なくなるのを防止するとともに、落下した細粒体によって多孔体層内の隙間が小さくなり目詰まりによって通水性が低下するのを防止することができる。
（７）細粒体層が配設されているので、細粒体の間の隙間が水の流路となり通水性に優れるとともに、蛍の幼虫や餌となるカワニナ等の貝類の生息場所にすることができる。
（８）細粒体層は通水性に優れるので水中の溶存酸素と接触し易く、有機物やアンモニア等を分解する好気性バクテリアが生息する生物膜が形成され易く水の浄化性に優れる。
（９）下部仕切体が、細粒体層側よりも土粒支持部側の方が高くなるように傾斜して配設されているので、多孔体層内気泡発生部から発生した気泡を土粒支持部の方に導くことができ、細粒体層が気泡によって振動して蛍の幼虫が細粒体層の下部に埋没するのを防止することができる。
（１０）水循環部が水循環部支持管を備えているので、水槽へ注水したり水槽から排水したりする場合には、ポンプに接続された通水管等を水循環部支持管から抜き出した後に水循環支持管から注水や排水ポンプを用いた排水を行うことができ、水槽内に配設された細粒体層や土粒層等を乱さず幼虫の生息環境を破壊せずメンテナンス性に優れる。
（１１）土粒部を備えているので、幼虫が潜って蛹化し水槽内で成虫に羽化させることができる。
（１２）土粒部が上部仕切体で区画されているので、土粒部と細粒体層が混ざり合うのを防止するとともに土粒部が崩落するのを防止することができる。
（１３）常時水没している土粒部の下部に土粒支持部を有しているので、土粒部が磨耗して泥状になるのを防止して、水が汚濁するのを防止することができる。
（１４）上部仕切体が細粒体層から土粒部の方へ向かって傾斜するように下部支持体に立設されているので、蛍の幼虫が土粒部へ容易に上陸することができる。
（１５）産卵用部材が上部仕切体に配設固定されているので、蛍が産卵できるとともに孵化した幼虫が直ちに細粒体層で生息することができ産卵、孵化、幼虫の生息環境に優れる。
（１６）苔等の産卵用部材が、上部仕切体の壁面に配設固定された無機系発泡体等の産卵用部材固定部間に配設されているので、幼虫が無機系発泡体等の表面の凹凸につかまって容易に土粒部まで上陸することができる。
（１７）多孔体層内気泡発生部と、多孔体層内気泡発生部に接続する空気供給部と、を備えているので、水中の酸素溶存量を高めるとともに餌の残り滓等の有機物や排泄物等のアンモニアを分解する好気性バクテリアの生息を助長することができ、水を浄化することができる。
（１８）多孔体層内気泡発生部が水槽の底部の多孔質層内に配設されているので、気泡の滞在時間が長く溶存酸素量を高めることができる。
（１９）細粒体層内に配設された細粒体層気泡発生部を備えているので、細粒体層内の好気性バクテリアの生息を助長し有機物やアンモニア等を分解させ水の浄化性能を高めることができる。また、幼虫が生息する細粒体層に直接気泡を導入することで、幼虫が生息する水域の溶存酸素濃度を高めることができる。
（２０）浄化部と浄化部内気泡発生部とを有しているので、水中の酸素溶存量を高めるとともに餌の残り滓等の有機物や排泄物等のアンモニアを分解する好気性バクテリアの生息を助長することができ、水を浄化することができる。
（２１）浄化部が出水口から出水された水を受けるので、出水口から出水し落下した水によって空気が水中に巻き込まれ、溶存酸素量を高めることができる。
（２２）浄化部が土粒部の上部に配設固定されているので、浄化部から溢れた水や飛沫が土粒部を濡らし土粒部を適度に湿潤化することができる。
（２３）細粒体層や産卵用部材に散水する散水管を備えているので、産卵用部材や土粒部を湿潤化するとともに、散水によって空気が水中に巻き込まれ溶存酸素量を高めることができる。
（２４）飛翔空間部を有しているので装置内で蛍が飛翔することができ、幼虫のみならず成虫も飼育することができる。
（２５）土粒部に植生された水辺草等の日陰形成部を備えているので、太陽光や蛍光灯の光等の外部光線を遮るとともに蛍の成虫がつかまって休むことができ、さらに交尾の場所にもなり蛍を繁殖させることができる。
（２６）細粒体層としてガラス粒を用いると、軽量で蛍の幼虫が潜りこむのに適しているとともに適度な比重を有し水流等で揺動せず蛍の幼虫の生息場所を安定に保ち、また粒径や形状等を容易に調整することができ容易に丸みを帯びた形状にすることができ、蛍の幼虫に傷がつくのを防止することができる。さらに、廃棄ガラスを粉砕して形成することができリサイクル性に優れる。
【００４２】
なお、実施の形態１においては、土粒部８を有している場合について説明したが、土粒部８を有さず下部仕切体４の上に細粒体層５だけを備えた水槽２を用いて、水面近くに苔等の産卵用部材を置くとともに、水槽２の上端開口部を残して土のある地面に埋設するか、水槽２の周囲に土を配置することもできる。これにより、水槽２から這い出した幼虫は水槽２の周囲の土で蛹化し繁殖することができる。なお、この場合は、水槽２を寒冷紗，草木，ヨシズ等で覆って日陰を形成するのが好ましい。水温が上昇するのを抑制することができるとともに成虫がつかまって休むことができるからである。
また、土粒支持部７として、ガラス粒等の細粒体等からなる場合について説明したが、多孔体が堆積された多孔体層や、土粒部が着水しないような高さに形成された脚部を有する板状体等も用いる場合もある。この場合も、土粒部が磨耗して泥状になるのを防止するという同様の作用が得られる。
また、水温調節手段を備えていない場合について説明したが、空気供給部２３若しくは酸素供給用配管２３ａ，２３ｂ，２３ｃを冷却器で冷却することにより、多孔体層内気泡発生部２４等の気泡発生部から発生する気体を冷却し気泡に接触した水を冷却し所定温度に調整するもの、（ｂ）水槽２全体を空調機等で室温が調整された部屋内に配置するもの、（ｃ）冷却器で冷却された水を所定量混合して水槽２内の水を所定温度に調整するもの等の水温調節手段を備える場合もある。これにより、夏季等においても蛍の幼虫の生育に適した水温に保つことができ、蛍を水槽が配置される環境に関わらず年間を通じて飼育することができるという作用が得られる。
【００４３】
（実施の形態２）
図４は本発明の実施の形態２における蛍の飼育装置の正面図であり、図５は実施の形態２における蛍の飼育装置の平面図であり、図６は図５のＣ−Ｃ線における要部断面図であり、図７は図５のＤ−Ｄ線における要部断面図であり、図８は図５のＥ−Ｅ線における要部断面図である。なお、実施の形態１で説明したものと同様のものは同じ符号を付して説明を省略する。
図４において、３０は本発明の実施の形態２における蛍の飼育装置、３１は浄化部、３２は水槽２の壁面近傍の下部仕切体４上に載置された深い有底箱状の浄化部用容器、３３は空気供給部２３に接続され浄化部用容器３２の底部に配設されたエアストーン等の浄化部内気泡発生部、３４は浄化部用容器３２の底部に１８は浄化部用容器１７の底部に平均粒径１０〜５０ｍｍの発泡ガラスや貝殻含有無機系発泡体等の無機系発泡体や軽石、螺旋形ろ過材（株式会社パナテック社製）等の多孔体が複数配設された浄化部用多孔体層、３５は浄化部用多孔体層３４の下部側の浄化部内気泡発生部３３の上方に配設されガーゼ，ヤシ繊維等の植物性，金網等の金属製，不織布等の合成樹脂製等の網状体等で形成された透水ネット、３６は浄化部用多孔体層３４の上に配設された金網等の浄化部用仕切体、３７は浄化部用仕切体３６の上に配設された平均粒径１〜６ｍｍのガラス粒、ゼオライト、小石等の細粒体やこれらの混合物からなる浄化部用細粒体層、３８は浄化部用容器３２の上部側を貫通し一端が浄化部用細粒体層３７の上方で開口する水循環用配管、３９は一端が水循環用配管３８に接続されて他端が閉鎖され周壁部に散水用の小孔が複数形成された管状の散水管である。散水管３９は、産卵用部材１０及び細粒体層５に散水することができる位置に配置され、散水用の小孔が形成されている。なお、土粒部８には毛細管現象によって湿り気が与えられる。
【００４４】
図５、図６、図７において、４０は多孔体層３，下部仕切体４，土粒支持部７，土粒部８を貫通して水槽２の壁面及び浄化部用容器３２の近傍の水槽２の底部に立設された水循環部支持管、４０ａは水循環部支持管４０の下端部で開口する通水孔部、４１は水循環部支持管４０内に立設された通水管、４２は通水管４１の下部側の多孔体層３内に形成され通水孔部４０ａを通過した水を取水する取水口、４３は水循環部支持管４０の上端部に配設され通水管４１に接続されて取水口４２から取水された水を揚水するポンプが配設されたポンプ室、４４はポンプ室４３に配設されたポンプで通水管４１を揚水された水を出水させる出水口である。水循環部支持管４０，通水管４１，ポンプ室４３に配設されたポンプが、実施の形態２の水循環部を構成している。
４５は浄化部用多孔体層３４，透水ネット３５，浄化部用仕切体３６，浄化部用細粒体層３７を貫通して浄化部用容器３２の底部に立設され出水口４４から出水された水が上端から供給される給水管、４５ａは給水管４５の下端側の浄化部内多孔体層３４内で浄化部内気泡発生部３３の方向に開口した給水孔部である。
【００４５】
実施の形態２における蛍の飼育装置が実施の形態１と異なる点は、浄化部３１において出水口４４から出水された水を受ける給水管４５が浄化部用容器３２に立設されている点、給水管４５が下端側で浄化部内気泡発生部３３の方向に開口した給水孔部４５ａを備えている点、浄化部用多孔体層３４の下部側の浄化部内気泡発生部２６の上方に透水ネット３５が配設されている点、水槽２の底部に立設された水循環部支持管４０の通水孔部４０ａが水循環部支持管４０の下端部で開口している点である。
【００４６】
以上のように、実施の形態２の蛍の飼育装置は構成されているので、実施の形態１に記載の作用に加え、以下のような作用が得られる。
（１）給水管が浄化部内多孔体層内に開口した給水孔部を備えているので、出水口から出水された水を確実に浄化部の浄化部内多孔体層内に供給し、供給された水が浄化部内多孔体層、浄化部内細粒体層を通過する間に浄化され、浄化された水が浄化部用容器の上側で一端が開口する水循環用配管から散水管に供給される。このため、浄化部内に供給された水がショートパスを起こすのを防止することができ浄化部における水の浄化性を高めることができる。
（２）給水管が浄化部内気泡発生部の方向に開口した給水孔部を備えているので、浄化部内に導入された水が浄化部内気泡発生部で発生した気泡に随伴されて浄化部用容器の上方に上昇し易く、浄化部内で水が滞留するのを防止することができ浄化部における水の浄化性を高めることができる。
（３）浄化部内気泡発生部の上方に透水ネットが配設されているので、浄化部内気泡発生部で発生した気泡を浄化部用多孔体層内に分散させ水中の溶存酸素量を高めることができる。
（４）水槽の底部に立設された水循環部支持管の通水孔部が水循環部支持管の下端部で開口しているので、通水管が水槽の底部の水を取水口から取水して揚水し、浄化部内で浄化した後、散水管から細粒体層の上方へ散水し、次いで細粒体層、多孔体層を通過した水を再び取水口から揚水するため、水が水槽内を滞留やショートパスを起こすことなく循環し水の浄化性を高めることができる。
（５）水中の浮遊物質を浄化部用容器内の浄化部内多孔体層や浄化部内細粒体層で濾過することができ、濾過された浮遊物質は浄化部内のバクテリアが生息する生物膜で分解され、浄化性を高めることができる。
【００４７】
なお、本実施の形態においては、通水管４１を揚水した水が浄化部３１の浄化部用容器３２に立設された給水管４５に出水口４４から供給される場合について説明したが、給水管４５を通水管４１の出水口４４に接続して通水管を長く形成し、水を浄化部用多孔体層３４に直接導入するようにしてもよい。また、給水管４５を配設せずに、通水管４１を長く伸ばして浄化部用多孔体層３４内の浄化部内気泡発生部２６の近傍に出水口４４から水を導入するようにしてもよい。また、水循環部支持管４０及び給水管４５を配設せずに、一端側に取水口４２が形成された通水管４１の他端の出水口４４を浄化部用容器３２の底部に接続し、浄化部用多孔体層３４内に水を導入するようにしてもよい。これらの場合も実施の形態２で説明したのと同様の作用が得られる。
【００４８】
【実施例】
以下、本発明を実施例により具体的に説明する。なお、本発明はこの実施例に限定されるものではない。
（実施例１）
実施の形態１で説明した蛍の飼育装置を用いて蛍を飼育した。縦９０ｃｍ、横４０ｃｍ、高さ６０ｃｍの直方体状の水槽の底部に、ガラス質廃材を粉砕して得られた無機系粉体と貝殻を粉砕して得られた貝殻粉体とが含有された混合物を加熱して溶融発泡させ塊状化した平均粒径４０ｍｍ、嵩密度１．３ｇ／ｃｍ3の貝殻含有無機系発泡体を約１０ｃｍの厚みで敷設し多孔体層を形成した。細粒体層としては、平均粒径２ｍｍのガラス粒を約７ｃｍの厚さに敷設したものを用いた。土粒部としては、赤玉土（平均粒径３ｍｍ）と鹿沼土（平均粒径３ｍｍ）と上記の無機系発泡体（粉砕して平均粒径３ｍｍにしたもの）とを容積比で４：４：２に混合したものを用いた。
この水槽内に水道水を一昼夜汲み置きして塩素を除去した約５０リットルの水を注ぎ、ポンプを用いて１０リットル／分の流量で水を循環した。また、空気供給部によって６リットル／分の空気を多孔体層、細粒体層及び浄化部に供給した。９月の初旬、この状態で５日間、生物膜を形成するために水を循環した後、細粒体層内に蛍の幼虫３０匹、餌のカワニナ６０匹を放つとともに、リンゴの皮をカワニナの餌として細粒体層の表面に配置した。
蛍の幼虫は、脱皮を繰り返し、翌年３月に土粒部へ上陸し、６月に羽化し成虫となった。さらに、成虫は産卵用部材に産卵し、７月には卵から孵化した幼虫が細粒体層で生息し始めた。この間、蒸発分の水の補充とカワニナの餌となるリンゴの皮の交換をしただけで、水の交換等のメンテナンスは不要であった。
以上の実施例から明らかなように、本発明によれば、水中の溶存酸素量を高めるとともに水の浄化性に優れ、蛍の幼虫及び餌となる貝類にとって良好な生息環境を整えることができ、さらにメンテナンス性にも優れた蛍の飼育装置を提供できることが明らかになった。
【００４９】
【発明の効果】
以上のように、本発明の蛍の飼育装置によれば、以下のような有利な効果が得られる。
請求項１に記載の発明によれば、
（１）表面積の大きな多孔体層を備えているので表面に硝化細菌等のバクテリアが生息する生物膜が形成され易く、多量のバクテリアがアンモニア等を分解し水質が劣化するのを防止するとともに水の浄化性に優れた蛍の飼育装置を提供することができる。
（２）水中の有機物や藻類等が、多孔体層が有する微細孔に吸着され易く藻類を除去することができ、また吸着された有機物等はバクテリアによって分解されて水質が劣化するのを防止するとともに水の浄化性に優れた蛍の飼育装置を提供することができる。
（３）多孔体層によってバクテリアによる大きな生物ろ床を有する浄化装置を形成することができ、多孔体層による浄化装置と蛍の幼虫が生息する細粒体層とを水槽内に一体に形成することができ、浄化効率に優れるとともに装置をコンパクト化することができる蛍の飼育装置を提供することができる。
（４）多孔体層と、水循環部と、を備えて水槽内の水を循環しているので、多孔体層で水流及び気泡を分散させ水中の溶存酸素量を高めることができる蛍の飼育装置を提供することができる。
（５）取水口が、蛍の幼虫が生息する細粒体層から離間された多孔体層内に配設されているので、取水口が取水することによって生じる水流を細粒体層や多孔体層で分散させて、水流が蛍の幼虫に与える負荷を軽減し、細粒体層内で蛍の幼虫を快適に生息させることができる蛍の飼育装置を提供することができる。
（６）出水口が細粒体層の上方に配設されたときは、出水口から出水し落下した水によって空気が水中に巻き込まれ、溶存酸素量を高めることができる蛍の飼育装置を提供することができる。
（７）蛍の幼虫が生息する細粒体層が下部仕切体の上に配設されているので、多孔体層の隙間の中に細粒体層が落下するのを防止することができ、蛍の幼虫の生息場所が少なくなるのを防止するとともに、落下した細粒体によって多孔体層内の隙間が小さくなり目詰まりによって通水性が低下するのを防止することができる蛍の飼育装置を提供することができる。
（８）細粒体層が配設されているので、細粒体の間の隙間が水の流路となり通水性に優れるとともに、蛍の幼虫や餌となるカワニナ等の貝類の生息場所にすることができる蛍の飼育装置を提供することができる。
（９）細粒体層は通水性に優れるので水中の溶存酸素と接触し易く、有機物やアンモニア等を分解する好気性バクテリア等が生息する生物膜が形成され易く水の浄化性に優れた蛍の飼育装置を提供することができる。
（１０）無機系廃材や貝殻という廃棄物を用いているので、廃棄物の再資源化を図ることができる蛍の飼育装置を提供することができる。
（１１）加熱することで、貝殻が含有する炭酸カルシウムが分解して炭酸ガスを発生し溶融した無機系粉体を発泡させて気泡を形成し表面積の大きな貝殻含有無機系発泡体を得ることができ、水槽内で形成される生物膜の表面積を大きくすることができ浄水性に優れた蛍の飼育装置を提供することができる。
（１２）塊状化されて形成された貝殻含有無機系発泡体の破壊面から、貝殻が含有するカルシウム、マグネシウムが水中に溶出するので、水槽内の水に溶けたカルシウムがカワニナ等の貝類の稚貝の貝殻の形成を促進するとともに、マグネシウムが貝類や蛍の幼虫の成育を促進することができる蛍の飼育装置を提供することができる。
【００５０】
請求項２に記載の発明によれば、請求項１の効果に加え、
（１）土粒部を備えているので、幼虫が潜って蛹化し水槽内で成虫に羽化させることができる蛍の飼育装置を提供することができる。
（２）土粒部が上部仕切体で区画されているので、土粒部と細粒体層が混ざり合うのを防止するとともに土粒部が崩落するのを防止することができる蛍の飼育装置を提供することができる。
（３）土粒部が水槽内に形成されているので、土粒部の下部や側面から吸収する水や出水口から出水される水等によって土粒部を常に湿潤状態にしておくことができ、幼虫が容易に潜って蛹化し易い状態に保つことができる蛍の飼育装置を提供することができる。
【００５１】
請求項３に記載の発明によれば、請求項２の効果に加え、
（１）常時水没している土粒部の下部に土粒支持部を有しているので、土粒部が水に溶けたり磨耗したりして泥状になるのを防止して、水が汚濁するのを防止することができる蛍の飼育装置を提供することができる。
【００５２】
請求項４に記載の発明によれば、請求項１乃至３の内いずれか１の効果に加え、
（１）産卵用部材が上部仕切体に配設固定されているので、蛍が産卵できるとともに孵化した幼虫が直ちに細粒体層で生息することができ産卵、孵化、幼虫の生息環境に優れた蛍の飼育装置を提供することができる。
【００５３】
請求項５に記載の発明によれば、請求項１乃至４の内いずれか１の効果に加え、
（１）多孔体層内気泡発生部と、多孔体層内気泡発生部に接続する空気供給部と、を備えているので、水中の酸素溶存量を高めるとともに餌の残り滓等の有機物や排泄物等のアンモニアを分解する好気性バクテリア等の生息を助長することができ、水を浄化することができる蛍の飼育装置を提供することができる。
（２）多孔体層内気泡発生部が水槽の底部の多孔質層内に配設されているので、気泡の滞在時間が長く溶存酸素量を高めることができる蛍の飼育装置を提供することができる。
【００５４】
請求項６に記載の発明によれば、請求項５の効果に加え、
（１）浄化部と浄化部内気泡発生部とを有しているので、水中の酸素溶存量を高めるとともに餌の残り滓等の有機物や排泄物等のアンモニアを分解する好気性バクテリアの生息を助長することができ、水を浄化することができる蛍の飼育装置を提供することができる。
（２）出水口が浄化部の上方に配設されたときは、出水口から出水し落下した水によって空気が水中に巻き込まれ、溶存酸素量を高めることができる蛍の飼育装置を提供することができる。
【００５５】
請求項７に記載の発明によれば、請求項１乃至６の内いずれか１の効果に加え、
（１）細粒体層、産卵用部材、土粒部のいずれか１以上に散水する散水管を備えているので、産卵用部材や土粒部を湿潤化するとともに、散水によって空気が水中に巻き込まれ溶存酸素量を高めることができる蛍の飼育装置を提供することができる。
【００５６】
請求項８に記載の発明によれば、請求項１乃至７の内いずれか１の効果に加え、
（１）飛翔空間部を有しているので装置内で蛍が飛翔することができ、幼虫のみならず成虫も飼育することができる蛍の飼育装置を提供することができる。
【００５７】
請求項９に記載の発明によれば、請求項１乃至８の内いずれか１の効果に加え、
（１）夏季等においても蛍の幼虫の生育に適した水温に保つことができ、蛍を水槽が配置される環境に関わらず年間を通じて飼育することができる蛍の飼育装置を提供することができる。
【図面の簡単な説明】
【図１】実施の形態１における蛍の飼育装置の正面図
【図２】図１のＡ−Ａ線における要部断面図
【図３】図１のＢ−Ｂ線における要部断面図
【図４】実施の形態２における蛍の飼育装置の正面図
【図５】実施の形態２における蛍の飼育装置の平面図
【図６】図５のＣ−Ｃ線における要部断面図
【図７】図５のＤ−Ｄ線における要部断面図
【図８】図５のＥ−Ｅ線における要部断面図
【符号の説明】
１  蛍の飼育装置
２  水槽
２ａ  蓋部
３  多孔体層
４  下部仕切体
５  細粒体層
６  上部仕切体
７  土粒支持部
７ａ  土粒仕切体
８  土粒部
９  産卵用部材固定部
１０  産卵用部材
１１  日陰形成部
１２  水循環部支持管
１２ａ  通水孔部
１３  通水管
１４  取水口
１５  ポンプ室
１６  出水口
１７  浄化部用容器
１８  浄化部用多孔体層
１９  浄化部用仕切体
２０  浄化部用細粒体層
２１  水循環用配管
２２  散水管
２３  空気供給部
２３ａ，２３ｂ，２３ｃ  空気輸送用配管
２４  多孔体層内気泡発生部
２５  細粒体層内気泡発生部
２６  浄化部内気泡発生部
２７  飛翔空間部
３０  蛍の飼育装置
３１  浄化部
３２  浄化部用容器
３３  浄化部内気泡発生部
３４  浄化部用多孔体層
３５  透水ネット
３６  浄化部用仕切体
３７  浄化部用細粒体層
３８  水循環用配管
３９  散水管
４０  水循環部支持管
４０ａ  通水孔部
４１  通水管
４２  取水口
４３  ポンプ室
４４  出水口
４５  給水管
４５ａ  給水孔部
【図１】
0003766839.tif 000002
【図２】
0003766839.tif 000003
【図３】
0003766839.tif 000004
【図４】
0003766839.tif 000005
【図５】
0003766839.tif 000006
【図６】
0003766839.tif 000007
【図７】
0003766839.tif 000008
【図８】
0003766839.tif 000009